(57)【要約】【課題】ユーザーが揮散構造体の交換時に手を汚すことなく、取り扱いが容易な液体揮散具を提供すること。【解決手段】液体を貯留するための容器本体４と、容器本体４に装着される蓋付きキャップ３と、蓋付きキャップ３の蓋３１を開けた状態で、容器本体４に貯留された液体を吸い上げ、揮散させる揮散構造体２とを備え、揮散構造体２を、揮散体２０と、揮散体２０を収容して容器本体４に貯留された液体に浸漬させる揮散体収容体２１とで構成し、揮散構造体２の揮散体収容体２１を、蓋付きキャップ３の開口縁３２に係止して装着する。【選択図】図１
0003191400.tif 000002
【実用新案登録請求の範囲】
【請求項１】
液体を貯留するための容器本体と、該容器本体に装着される蓋付きキャップと、キャップの蓋を開けた状態で、容器本体に貯留された液体を吸い上げ、揮散させる揮散構造体とを備えた液体揮散具において、前記揮散構造体を、揮散体と、該揮散体を収容して容器本体に貯留された液体に浸漬させる揮散体収容体とで構成し、該揮散構造体の揮散体収容体を、蓋付きキャップの開口縁に係止して装着するようにしたことを特徴とする液体揮散具。
【請求項２】
前記揮散構造体の揮散体収容体の外周が摺接する筒状部と、該筒状部の上端部に形成した鍔部とを有し、該鍔部が容器本体の開口縁と蓋付きキャップとで挟持されて容器本体内に装着される内栓部材を備えたことを特徴とする請求項１記載の液体揮散具。
【請求項３】
前記揮散体が、揮散体収納筒の下端から延出する延出部を有することを特徴とする請求項１又は２記載の液体揮散具。
【請求項４】
液体の詰め替え時に、揮散構造体を蓋付きキャップと共に容器本体から取り外し、新しい揮散構造体と交換した後、蓋付きキャップと共に容器本体に取り付けるようにしたことを特徴とする請求項１、２又は３記載の液体揮散具。
【考案の詳細な説明】
【技術分野】
【０００１】
本考案は、液体揮散具に関し、特に、使用済みの容器本体から手を汚すことなく揮散体を取り出し、液体を補充した後、交換用の揮散体を簡単に取り付けることができる液体揮散具に関するものである。
【背景技術】
【０００２】
従来、芳香剤や消臭剤等の拡散性の液体（以下、単に「液体」という。）を揮散させるために用いられる液体揮散具として、液体を貯留するための容器本体と、容器本体に貯留された液体を吸い上げ、容器本体の開口部から上端面を露出して揮散させる揮散体とを備えたものが提案され、実用に供されている（例えば、特許文献１参照）。
【先行技術文献】
【特許文献】
【０００３】
【特許文献１】特開平１１−４７２５４号公報
【考案の概要】
【考案が解決しようとする課題】
【０００４】
ところで、上記従来の液体揮散具は、液体揮散具の容器本体に貯留された液体がなくなった場合には、そのまま廃棄する方式のものと、容器本体に液体を補充し、容器本体を繰り返して使用する方式のもがある。
【０００５】
このうち、前者の廃棄する方式のものは、液体の補充や揮散体の交換という手間が必要ないものの、資源のリユースに寄与することができないという問題があった。
【０００６】
一方、容器本体に液体を補充し、繰り返して使用する方式のものは、揮散体の交換時に、ユーザーが揮散体を摘んで容器本体から取り出す必要があり、ユーザーの手を汚すという問題があった。
【０００７】
本考案は、上記従来の液体揮散具の有する問題点に鑑み、液体揮散具の容器本体に液体を補充し、繰り返して使用する方式の液体揮散具において、ユーザーが揮散構造体の交換時に手を汚すことなく、取り扱いが容易な液体揮散具を提供することを目的とする。
【課題を解決するための手段】
【０００８】
上記目的を達成するため、本考案の液体揮散具は、液体を貯留するための容器本体と、該容器本体に装着される蓋付きキャップと、キャップの蓋を開けた状態で、容器本体に貯留された液体を吸い上げ、揮散させる揮散構造体とを備えた液体揮散具において、前記揮散構造体を、揮散体と、該揮散体を収容して容器本体に貯留された液体に浸漬させる揮散体収容体とで構成し、該揮散構造体の揮散体収容体を、蓋付きキャップの開口縁に係止して装着するようにしたことを特徴とする。
【０００９】
この場合において、前記揮散構造体の揮散体収容体の外周が摺接する筒状部と、該筒状部の上端部に形成した鍔部とを有し、該鍔部が容器本体の開口縁と蓋付きキャップとで挟持されて容器本体内に装着される内栓部材を備えることができる。
【００１０】
また、前記揮散体が、揮散体収容体の下端から延出する延出部を有するようにすることができる。
【００１１】
また、液体の詰替時に、揮散構造体を蓋付きキャップと共に容器本体から取り外し、新しい揮散構造体と交換した後、蓋付きキャップと共に容器本体に取り付けるようにすることができる。
【考案の効果】
【００１２】
本考案の液体揮散具によれば、揮散構造体を、揮散体と、該揮散体を収容して容器本体に貯留された液体に浸漬させる揮散体収容体とで構成し、該揮散構造体の揮散体収容体を、容器本体に装着される蓋付きキャップの開口縁に係止して装着することにより、揮散体を収容した揮散体収容体を、蓋付きキャップを容器本体から取り外す際に、蓋付きキャップと共に取り外すことができ、ユーザーの手を汚すことがない。
そして、容器本体に液体を補充し、揮散構造体を蓋付きキャップと共に取り付けることができ、簡単な手順で液体揮散具を使用状態にすることができる。
【００１３】
また、揮散構造体の揮散体収容体の外周が摺接する筒状部と、該筒状部の上端部に形成した鍔部とを有し、該鍔部が容器本体の開口縁と蓋付きキャップとで挟持されて容器本体内に装着される内栓部材を備えることにより、内栓部材が、揮散構造体の揮散体収容体を保持するとともに、使用中に容器本体が転倒することがあっても、容器本体内の液体が漏れ出すことがない。
【００１４】
また、前記揮散体が、揮散体収容体の下端から延出する延出部を有することにより、揮散体収容体の長さ寸法を、容器本体の高さ寸法より短く構成しても、揮散体の延出部が容器本体の下面に到達し、容器本体内の液体を残すことなく吸い上げて揮散させることができる。
【００１５】
また、例えば、スタンドパウチ式等、袋入りの詰替用の液体を合わせて揮散構造体を販売することによって、揮散構造体を蓋付きキャップと共に容器本体に取り付けることにより、容器本体に貯留された液体が揮散した使用済みの容器本体、内栓部材及び蓋付きキャップの再使用が可能となり、資源のリユースに寄与することができる。
【図面の簡単な説明】
【００１６】
【図１】本考案の液体揮散具の一実施例を示す正面断面図である。
【図２】同液体揮散具の揮散構造体の揮散体を示し、（ａ）は方形部を筒状に巻く前の状態を示す平面図、（ｂ）は方形部を筒状に巻いた状態を示す斜視図である。
【図３】同液体揮散具の揮散構造体の揮散体収容体を示し、（ａ）は斜視図、（ｂ）は揮散体を収容した状態を示す斜視図である。
【図４】同液体揮散具の容器本体から揮散構造体を取り外す際の手順を示す説明図である。
【図５】同液体揮散具の容器本体に揮散構造体を取り付ける際の手順を示す一部断面の説明図である。
【考案を実施するための形態】
【００１７】
以下、本考案の液体揮散具の実施の形態を、図面に基づいて説明する。
【実施例１】
【００１８】
図１〜図５に、本考案の液体揮散具の一実施例を示す。
この液体揮散具１は、液体を貯留するための容器本体４と、容器本体４に装着される蓋付きキャップ３と、蓋付きキャップ３の蓋３１を開けた状態で、容器本体４に貯留された液体を吸い上げ、揮散させる揮散構造体２とを備え、揮散構造体２を、揮散体２０と、揮散体２０を収容して容器本体４に貯留された液体に浸漬させる揮散体収容体２１とで構成し、揮散構造体２の揮散体収容体２１を、蓋付きキャップ３の開口縁３２に係止して装着するようにした、容器本体４に液体を補充し、繰り返して使用する方式の液体揮散具である。
【００１９】
揮散構造体２は、液体に浸漬する揮散体２０と、この揮散体２０を収容する揮散体収容体２１とからなる。
揮散体２０の形状は、特に限定されるものではないが、本実施例においては、図２に示すように、揮散体収容体２１の収容部の内径に合わせて、筒状に巻かれる方形部２０ａと、この方形部２０ａから延出する延出部２０ｂとを有するシート状部材から構成され、筒状に巻いた方形部２０ａの上端面が揮散部２０ｃとなるようにしている。
揮散体２０の構成材料は、筒状に巻いて、容器本体４内の液体に浸漬している方形部２０ａ及び延出部２０ｂを介して、容器本体４に貯留された液体を毛細管現象で吸い上げ、容器本体４の口部４０から露出する揮散部２０ｃから吸い上げた液体を揮散させることができる公知の材料、例えば、不織布、ろ紙、繊維束、連続気泡発泡体等を用いるようにしている。
【００２０】
揮散体収容体２１は、筒状に巻いた揮散体２０を収容するとともに、収容した揮散体２０を容器本体４の液体に浸漬させることができるとともに、後述する蓋付きキャップ３の開口縁３２に係止して装着することができる構造であれば、特に限定されるものではないが、図３に示すように、蓋付きキャップ３の開口縁３２に係止される鍔状の係止部２１ａ、筒状に巻いた方形部２０ａから直接液体が吸い上げられるように枠状に構成した本体部２１ｂとから構成されている。
本体部２１ｂは、揮散体２０を液体に浸漬させる開口を有するものであれば、パンチングメタル等の開口部を多数有する板部材を巻回して構成することもできるが、本実施例においては、縦枠と環状の横枠とを組み合わせた枠状部材から構成する。
また、本体部２１ｂの下端部には揮散体２０の延出部２０ｂが延出する開口部を設けるようにしている。
【００２１】
蓋付きキャップ３は、容器本体４の口部４０に取り付けられるとともに、開口縁３２で揮散体収容体２１を係止することができるとともに、蓋３１よって上面が開閉される構造であれば、その構成は特に限定されるものではないが、本実施例においては、図１に示すように、蓋３１と、この蓋３１が取り付けられる上椀部３０Ａ、容器本体４の口部４０に取り付けるための取付部３０Ｂ及び揮散構造体２の揮散体収容体２１を係止する開口縁３２となる環状片３０Ｃからなるキャップ本体３０とから構成するようにしている。
【００２２】
取付部３０Ｂは、容器本体４の口部４０の周面に形成した雄ねじ部４１に螺合することができる雌ねじ部３３を内周面に形成する。
また、上椀部３０Ａは、取付部３０Ｂと一体構造で、取付部３０Ｂの雌ねじ部３３の形成箇所よりも上方に形成され、上端面の一部にヒンジ部を介して蓋３１が連結され、ヒンジ部と対向する上端面に係止溝を形成し、蓋３１のヒンジ部と対向する箇所に形成した係止爪と係止して蓋３１の閉止状態を維持するように構成されている。
また、蓋付きキャップ３の外周面には、取り付け時の滑りを防止するためのローレットを形成することが好ましい。
【００２３】
また、本実施例においては、開口縁３２を、上椀部３０Ａと取付部３０Ｂとの境となる内面から突出して形成した環状片３０Ｃとし、この環状片３０Ｃの上面に、揮散体収容体２１の上部に形成した鍔状の係止部２１ａの下面を載置することによって、揮散構造体２を蓋付きキャップ３に係止して装着するようにしているが、開口縁３２の構成は、特に限定されるものではなく、上椀部３０Ａの上端面を開口縁３２とし、蓋３１の開閉と干渉しないように、上椀部３０Ａの上端面の適所に切欠部を設けるとともに、揮散体収容体２１の上部に係止片を延設し、この係止片を切欠部に係止することによって揮散構造体２を蓋付きキャップ３に係止して装着するようにすることもできる。
【００２４】
また、容器本体４の口部４０には、使用中に容器本体４が転倒することがあっても、容器本体４内の液体が漏れ出すことがないように内栓部材５を装着する。
この内栓部材５は、揮散構造体２の揮散体収容体２１の外周が摺接する筒状部５０と、筒状部５０の上端部に形成した鍔部５１とから構成され、鍔部５１が容器本体４の開口縁４ａと蓋付きキャップ３とで挟持されて容器本体４内に装着されるもので、筒状部５０によって、揮散構造体２の揮散体収容体２１を保持する役割も果たす。
【００２５】
容器本体４の開口縁４ａとの間で、鍔部５１を挟持する蓋付きキャップ３の挟持箇所は、特に限定されるものではなく、本実施例においては、開口縁４ａと揮散体収容体２１を係止する環状片３０Ｃの下面とによって挟持するようにしている。
【００２６】
容器本体４は、合成樹脂又はガラス製、陶器製のものからなり、口部４０に蓋付きキャップ３、揮散構造体２及び内栓部材５が取り付けられる構造であれば、特にその構成を限定されるものではなく、本実施例においては、口部４０の周面に形成した雄ねじ部４１に、蓋付きキャップ３の取付部３０Ｂに形成した雌ねじ部３３を螺合し、上述したように、揮散構造体２及び内栓部材５が取り付けられるようにしている。
【００２７】
また、この液体揮散具１は、上記構造によって、液体の詰替時に、揮散構造体２を蓋付きキャップ３と共に容器本体４から取り外し、新しい揮散構造体２と交換した後、蓋付きキャップ３と共に容器本体４に取り付けるようにすることができる。
揮散構造体２のうち、揮散体２０は、１度使用することにより、不純物等によって目詰まりを生じることが多く、吸い上げ効率が低下するため再利用することは好ましくなく、また、揮散体収容体２１は、再利用することができるものの、ユーザーが揮散体収容体２１から揮散体２０を取り出し、揮散体２０を、方形部２０ａを揮散体収容体２１の内径に合わせて筒状に巻いた上で揮散体収容体２１に収容させることは、ユーザーの手を汚す場合があるとともに、手数を有するため、再利用することは好ましくない。
このため、揮散構造体２は、予め、揮散体２０を揮散体収容体２１に収容した状態で提供することが望ましい。
そして、例えば、スタンドパウチ式等、袋入りの詰替用の液体を合わせて揮散構造体２を販売することによって、揮散構造体２を蓋付きキャップ３と共に容器本体４に取り付けることにより、容器本体４に貯留された液体が揮散した使用済みの容器本体４、内栓部材５及び蓋付きキャップ３の再使用が可能となり、資源のリユースに寄与することができる。
【００２８】
次に、容器本体４の液体の詰替時に、揮散構造体２を容器本体４から取り外し、液体を補充した後に、揮散構造体２を容器本体４に取り付ける手順を、図４〜図５に基づいて説明する。
まず、図４に示すように、蓋付きキャップ３を回転させ、容器本体４の口部４０に形成した雄ねじ部４１と取付部３０Ｂに形成した雌ねじ部３３との螺合を解除し、蓋付きキャップ３を容器本体４から取り外す。
このとき、揮散構造体２は、蓋付きキャップ３の開口縁３２に係止されているため、蓋付きキャップ３と共に、容器本体４から取り外されることとなり、ユーザーの手を汚すことがない。
なお、内栓部材５は、容器本体４の口部４０に装着した状態のまま、取り外す必要はない。
【００２９】
そして、詰替用の液体を容器本体４内に補充した後に、図５に示すように、詰替用の揮散構造体２を蓋付きキャップ３と共に、容器本体４の口部４０に取り付ける。
このとき、揮散構造体２は、予め蓋付きキャップ３の開口縁３２に係止して装着した状態で、蓋付きキャップ３の取付部３０Ｂに形成した雌ねじ部３３を容器本体４の口部４０に形成した雄ねじ部４１に螺合しても、先に蓋付きキャップ３を容器本体４に取り付けてから、揮散構造体２を蓋付きキャップ３の開口縁３２に係止して装着するようにしても構わない。
【００３０】
そして、使用時には、ユーザーが、蓋付きキャップ３の蓋３１を開け、容器本体４の口部４０から揮散部２０ｃを露出させることにより、揮散構造体２の揮散体２０が吸い上げた芳香剤の香りや消臭材の消臭成分を周辺に拡散させることができる。
【００３１】
このように、本考案の液体揮散具１は、簡単な交換作業をユーザーが行うことにより、容器本体４に貯留された液体が揮散した使用済みの容器本体４、蓋付きキャップ３及び内栓部材５の再使用が可能となり、資源のリユースに寄与することができる。
【００３２】
以上、本考案の液体揮散具について、実施例に基づいて説明したが、本考案は上記実施例に記載した構成に限定されるものではなく、その趣旨を逸脱しない範囲において適宜その構成を変更することができるものである。
【産業上の利用可能性】
【００３３】
本考案の液体揮散具は、ユーザーが揮散構造体の交換時に手を汚すことなく、取り扱いが容易であることから、液体揮散具の容器本体に液体を補充し、繰り返して使用する方式の液体揮散具の用途に用いることができる。
また、適用対象も、芳香剤のほか、消臭材等、拡散性の液体を揮散させるために用いられる液体揮散具の用途に広く用いることができる。
【符号の説明】
【００３４】
１    液体揮散具
２    揮散構造体
２０  揮散体
２１  揮散体収容体
３    蓋付きキャップ
３０  キャップ本体
３１  蓋
３２  開口縁
４    容器本体
４ａ  開口縁
５    内栓部材
５０  筒状部
５１  鍔部
【図１】
0003191400.tif 000003
【図２】
0003191400.tif 000004
【図３】
0003191400.tif 000005
【図４】
0003191400.tif 000006
【図５】
0003191400.tif 000007